(57)【要約】【課題】本発明は、撮像画像への想定以上のフラッシュ光の移り込みによる異常反射領域の有無をユーザーに警告できるデジタルカメラを提供することを目的とする。【構成】画像データを表示する表示部３３と、被写体像を撮像し画像データを作成する撮像部（３１、３２）と、前記画像データを複数の領域に分割して各領域ごとに測光値を算出する測光部３０と、被写体に照明光を発光する発光装置４０と、発光装置４０を発光せずに作成された第１判定用画像データと発光装置４０の発光を伴って作成された第２判定用画像データとにおいて、同じ領域ごとにそれぞれ輝度値を比較し、その値の差が所定値以上である場合に該領域を異常反射領域として設定する制御部３０と、前記異常反射領域に決定された領域がある場合に警告表示を行う警告表示制御部３３とを具備する。【選択図】図２
2007274439.tif 000002
【特許請求の範囲】
【請求項１】
画像データを表示する表示部と、
被写体像を撮像し画像データを作成する撮像部と、
前記画像データを複数の領域に分割して各領域ごとに測光値を算出する測光部と、
被写体に照明光を発光する発光装置と、
前記発光装置を発光せずに作成された第１判定用画像データと前記発光装置の発光を伴って作成された第２判定用画像データとにおいて、同じ領域ごとにそれぞれ輝度値を比較し、その値の差が所定値以上である場合に該領域を異常反射領域として設定する制御部と、
前記異常反射領域に決定された領域がある場合に警告表示を行う警告表示制御部とを具備することを特徴とするデジタルカメラ。
【請求項２】
請求項１に記載のデジタルカメラはさらに、
画像データを記録する記録媒体を有し、
前記撮像部は、前記表示部に表示するための表示用画像データと、前記記録媒体に記録するための記録用画像データとを作成し、
前記制御部は、前記表示部に動画像として表示するための前記表示用画像データから前記第１判定用画像データを作成し、前記表示用画像データと記録用画像データとを共に作成させる静止画像撮像処理で取得した前記表示用画像データ又は前記記録用画像データのいずれかより前記第２判定用画像データを作成することを特徴とするデジタルカメラ。
【請求項３】
請求項１に記載のデジタルカメラはさらに、
画像データを記録する記録媒体を有し、
前記撮像部は、前記表示部に表示するための表示用画像データと、前記記録媒体に記録するための記録用画像データとを作成し、
前記制御部はさらに、前記表示部に動画像として表示するための前記表示用画像データから前記第１判定用画像データと前記第２判定用画像データとを作成することを特徴とするデジタルカメラ。
【請求項４】
請求項１乃至３に記載のデジタルカメラにおいて、
前記制御部は、前記異常反射領域に対応する領域をしめす異常反射領域表示を前記表示部に表示することを特徴とするデジタルカメラ。
【発明の詳細な説明】
【技術分野】
【０００１】
デジタルカメラに関する。
【背景技術】
【０００２】
従来、フラッシュ装置を具備するカメラでは、フラッシュを発光させることにより適正露出で撮像できるものがある（例えば特許文献１）。
【特許文献１】特開平２００２−２７７９２１号公報
【発明の開示】
【発明が解決しようとする課題】
【０００３】
しかしながら、ガラスや、鏡状の被写体をフラッシュを発光して撮影すると、フラッシュ光が必要以上に反射して撮影画像に移り込む場合がある。フラッシュ光が必要以上に撮影画像に移り込むと、被写体がフラッシュ光で覆われて所望の画像を得ることができない。そのため所望の画像を得るまで撮像をおよび撮像画像の確認を繰り返す必要があった。
【０００４】
本発明は、撮像画像への想定以上のフラッシュ光の移り込みによる異常反射領域の有無をユーザーが認識可能なデジタルカメラを提供することを目的とする。
【課題を解決するための手段】
【０００５】
本発明を適用したデジタルカメラは、画像データを表示する表示部と、被写体像を撮像し画像データを作成する撮像部と、前記画像データを複数の領域に分割して各領域ごとに測光値を算出する測光部と、被写体に照明光を発光する発光装置と、前記発光装置を発光せずに作成された第１判定用画像データと前記発光装置の発光を伴って作成された第２判定用画像データとにおいて、同じ領域ごとにそれぞれ輝度値を比較し、その値の差が所定値以上である場合に該領域を異常反射領域として設定する制御部と、前記異常反射領域に決定された領域がある場合に警告表示を行う警告表示制御部とを具備する。
【発明の効果】
【０００６】
本発明を適用したデジタルカメラは、ユーザーが異常反射領域の有無を確実に認識可能となる。
【発明を実施するための最良の形態】
【０００７】
本発明を適用した実施の形態について図１〜図７を用いて説明する。
本発明を適用した第１の実施の形態におけるデジタルカメラ１について説明する。
デジタルカメラ１の外観図を図１a、図１ｂに示す。
【０００８】
本実施の形態におけるデジタルカメラ１は直方形状のカメラボディ１０とレンズ鏡筒２０とから構成されるレンズ一体型デジタルカメラである。カメラボディ１０上面１aにはレリーズ釦１１、電源釦１２が配置されている。カメラボディ１０背面１ｂには、再生釦１３、メニュー釦１４、十字キー１５、背面モニタ１６が配置されている。カメラボディ１０正面１ｃには照明装置１７、補助光装置１８、レンズ鏡筒２０とが配置されている。レンズ鏡筒２０には撮像光学系２１が配置されている。
【０００９】
レリーズ釦１１は半押することによりONされる半押スイッチ（SW１）と、全押することによりONされる全押スイッチ（SW２）とから構成される２段スイッチである。電源釦１２はデジタルカメラ１の電源をON／OFFするための釦である。再生釦１３は撮像済みの画像データを背面モニタ１６に表示する再生モードへ切り替えるためのスイッチである。メニュー釦１４は、背面モニタ１６にメニューを表示させ、ユーザーがカメラの動作設定等を設定おこなうメニューモードへ切り替えるためのスイッチである。十字キー１５は、上下左右の４方向にそれぞれ接点を有する周知の十字キーである。また十字キー１５中央には決定釦１５aが配置されている。背面モニタ１６は、撮影時に被写体を動画像表示したり、記録済み画像やメニュー画面等を表示する液晶表示装置である。照明装置１７は、被写体を照明する照明装置であって、照明部材としてキセノン管を用いたものである。なお照明部材としてはキセノン管に限るものではなく、被写体像を照明するものであればどんなものでもよい。例えば照明部材としてLED等を用いても良い。補助光装置（AF補助光装置）１８は、LED等の照明部材であり、後述するAF処理の際に被写体を照明する。
【００１０】
＜デジタルカメラ１のブロック図＞
以下、本実施の形態におけるデジタルカメラ１の構成部材および基本的な処理についてブロック図を基に説明する。デジタルカメラ１のブロック図を図２に示す。
【００１１】
＜制御部＞
制御部３０は、ＣＰＵ等を含み、撮像部３１、画像処理部３２、表示部３３、RAM３４、ROM３５、EEPROM３６、外部メモリ３７、内部メモリ３８、操作部３９、照明部４０等と接続され、各部材を制御する。
【００１２】
＜撮像及び画像処理＞
撮像部３１は、不図示の撮像レンズにより結像した被写体像を電気信号に変換するＣＣＤやＣＭＯＳ等の固体撮像素子、画像信号の読み出しや電子シャッターの制御駆動等を行うドライバ等も含む。画像処理部３２は、撮像部３１より出力された画像信号に、ノイズ除去、Ａ／Ｄ変換、色補間処理、サイズ変更、符号化等の処理を必要に応じて行い、背面モニタ１６に表示する表示用画像データや、記録用画像データ等を作成する。表示用画像データは表示部３４により背面モニタ１６に表示される。
【００１３】
＜記録処理＞
ＲＡＭ３４は、制御部３０及び画像処理部３２、表示部３３等が処理を行う際にデータの一時的な保存場所などに利用される。ＲＯＭ３５は、デジタルカメラ１の作動に必要なプログラム、該プログラムに使用する初期値等が保存されている。ＥＥＰＲＯＭ３６は、デジタルカメラ１の電源がＯＦＦされても記録情報を保持するフラッシュメモリ等の書き換え可能なメモリである。ＥＥＰＲＯＭ３６には、デジタルカメラ１のユーザー設定やカスタム設定等の情報を記録する。外部メモリ３７は、画像ファイル等を保存するための着脱可能なメモリーカードである。内部メモリ３８は、ハードディスク等の大容量の磁気ディスクやDVD等の大容量の光ディスク、フラッシュメモリ等の画像ファイル等を記憶する記憶媒体である。
【００１４】
＜画像表示処理＞
表示部３３は、制御部３０の指令により表示用画像データを背面モニタ１６へ表示させる。表示部３３は背面モニタ１６およびドライバやビデオメモリ等を含む。なお、ビデオメモリとしてRAM３４を用いても良い。
＜スルー画像処理＞
デジタルカメラ１は、撮像部３１により連続して撮像された画像信号を画像処理部３２により処理して作製した表示用画像データ（以下スルー画像とする）を背面モニタ１６に連続して表示する周知の動画像表示処理（以下スルー画像処理）が可能である。スルー画像処理の際は画像処理部３２で記録用画像データは作成されない。
【００１５】
＜測光処理＞
デジタルカメラ１は、被写体像領域を複数の領域に分割しそれぞれ輝度値を求める周知の分割測光が可能である。被写体像領域を９６の領域に分割した様子を図３aに示す。図３aでは各領域を点線５０で示している。９６の領域に分割された各被写体画像領域での被写体輝度値は、撮像部３１から出力された画像信号または画像処理部３２で作製する表示用画像データを基に算出する。露出演算にもちいられる輝度値の算出方法は、前記各領域の輝度値を平均して算出する平均測光や、中央部の所定領域のみの輝度値に基づいて算出する中央部重点測光等が用いられる。
【００１６】
＜操作部＞
操作部３０は、レリーズ釦１１、電源釦１２、再生釦１３、メニュー釦１４、十字キー１５等を含む。
【００１７】
＜照明部＞
照明部４０は、照明装置１７、補助光装置１８およびこれらを発光させるための駆動回路等を含む。照明部４０は制御部２０の指令により照明装置１７による発光量を調整する。
【００１８】
＜動作モード＞
本実施の形態におけるデジタルカメラ１は、ユーザーが設定した撮像処理条件により撮像動作及び撮像画像の処理を行う撮影モード、背面モニタ１６に表示されたメニュー画面を見ながら各種機能の設定を行うメニューモード、背面モニタ１６に撮影済みの記録用画像データ等を表示させる画像表示モードを持つ。メニューモード、画像表示モードについては周知の処理であるため詳細な説明を省く。
【００１９】
以下撮影モードでの処理ついて説明する。
＜撮影モード＞
本実施の形態におけるデジタルカメラ１における撮影モードについて説明する。
【００２０】
動作モードが撮影モードに設定されると、スルー画像処理が開始される。ユーザーは背面モニタ１６に表示される被写体の動画像を確認し撮影構図を決定できる。
本実施の形態におけるデジタルカメラ１の照明装置１７の発光を伴う撮影では、照明装置１７を発光せずに撮像した画像データと、照明装置１７の発光を伴い撮像された画像データとの各領域（９６の領域）での輝度値を、同一の領域ごとに比較する。ここで、照明装置１７を発光せずに撮像した画像データと、照明装置１７の発光を伴い撮像された画像データとの各領域（９６の領域）での輝度値の差が所定以上である領域を以上反射領域と設定し、該異常反射領域が所定数以上ある場合はユーザーに異常反射領域があることを警告表示する。なお、異常反射領域が１つでもある場合にユーザーに異常反射領域があることを警告表示しても良い。
【００２１】
これにより、照明撮影による必要以上に照明光が映りこむ異常反射領域があることをユーザーが認識できる。
本実施の形態のデジタルカメラ１は、SW２押圧直後にスルー画像処理で取得した撮像した表示用画像データと、静止画像用画像として照明装置を発光して撮像された際の画像データとを比較して異常反射領域を設定し、ユーザーに警告表示を行う。以下撮影処理の流れを説明する。
【００２２】
＜撮影モードの流れ＞
撮影モードでの処理の流れについて示すフローを図４に示す。
撮影モードに入ると、ステップS１０１でスルー画像再生処理の開始を命令し、ステップS１０２へ移る。以後撮影モード処理とスルー画像再生処理が平行して処理される。
【００２３】
＜スルー画像処理＞
スルー画像再生処理での流れについて図５を用いて説明する。
スルー画像再生処理が開始されるとステップS２０１で、Nに４が代入されると共にスルー画像用電子シャッター速度の初期値がRAM３４に記憶される。次にステップS２０２でRAM３４に記憶されているスルー画像用電子シャッター速度を読み出し、撮像部３１によって該シャッター速度で撮像し画像信号を取得する。ステップS２０３で画像処理部３２により取得した画像信号を処理し再生用画像データのみを作成しRAM３４へ記憶する。ステップS２０４では、レリーズ釦１１のSW１がONされているか否かを判定する。SW１がONされている場合はステップS２１０へ移り、SW１がONされていない場合はステップS２０５へ移る。ステップS２０５ではN＝４か否かが判定される。N＝４の場合はステップS２０６へ移り、N=４でない場合はステップS２０９へ移りNに１を足してステップS２１０へ移る。ステップS２０６ではステップS２０３で得た表示用画像データを基に輝度値を算出し、ステップS２０７で算出した輝度値をもとに、スルー画像が適正露出となるようスルー画像用電子シャッター速度を算出しRAM３４へ記憶しステップS２０８へ移る。ステップS２０８ではNにゼロを代入しステップS２１０へ移る。ステップS２１０ではスルー画像に重ねて表示するためのスーパーインポーズ用データと再生用画像データをRAM３４より読み出しステップS２０３で作成した表示用画像データと合成し表示部３３によって背面モニタ１６に表示する。次にステップS２１２で、スルー画像再生処理の中止命令があるか否かを判定する。スルー画像再生処理の中止命令がある場合はスルー画像処理を終了し、スルー画像再生処理の中止命令がない場合はステップS２０２へ戻りスルー画像再生処理を続ける。
【００２４】
上述したのように、スルー画像は処理の開始時（ステップS２０１）およびS２０２〜S２１２のループが４回行われるごとに撮像画像より被写体輝度を算出し撮像画像が適正露出となるようにスルー画像処理でのスルー画像用電子シャッター速度を調整する（ステップS２０６〜S２０７）。
なおスルー画像処理においては、絞り値は開放値に固定されている。そのため露出はスルー画像用電子シャッター速度および撮像感度（ゲイン調整）で決定される。なお、SW１が押圧操作されている間はステップS２０４で肯定されるため、スルー画像を撮像するスルー画像用シャッター速度は、スルー画像再生処理では変更されなくなる。SW１がONされている際は後述する撮影モード処理でスルー画像用シャッター速度が適宜調整される。
図４に示した撮像モード処理の説明に戻る。
【００２５】
ステップS１０１でスルー画像再生処理の開始命令を行いステップS１０２へ移ると、レリーズ釦１１のSW１がONされたか否かが判定される。SW１がONされた場合はステップS１０３へ移り、SW１がONされていない場合はステップS１０９へ移る。ステップS１０３では、RAM３４に記憶されているスルー画像処理で作成された表示用画像データを基に被写体輝度算出する。ステップS１０４では算出された被写体輝度値を基にスルー画像が適正露出となるようにスルー画像用電子シャッター速度を算出しRAM３４に記憶する。S１０５では、算出された被写体輝度値より、静止画像撮影時のシャッター速度、絞り値、照明装置の発光の有無等の撮影処理条件を決定しステップS１０６へ移行する。ステップS１０６では、撮影光学系２１の不図示の焦点光学系を駆動させながらスルー画像処理で再生用画像データを撮像し、コントラストが最も高い再生用画像データが取得された位置を焦点光学系の合焦位置として決定する周知のコントラストAF処理が行われる。なお、被写体輝度が暗い場合はAF処理中にAF補助光装置１８が被写体に向けて発光される。
【００２６】
ステップS１０７では、SW１がONされているか否かが判定される。SW１がONされている場合はステップS１０８へ移り、SW１がONされていない場合はステップS１１０へ移る。ステップS１０８ではSW２がONされたか否かが判定される。SW２がONされた場合はステップS１０９へ移り、SW２がONされていない場合はステップS１０７へ移る。ステップS１０９では静止画撮影処理サブルーチンへ移り静止画の撮像や記録等の処理が行われる。静止画撮影記録処理サブルーチンについては後述する。静止画撮影記録処理サブルーチンが終了するとステップS１１０へ移る。ステップS１１０では動作モードが撮影モードから変更されたか否かが判定される。動作モードが撮影モードから変更された場合はステップS１１１へ移り、動作モードが変更されていない場合はステップS１０２へ戻る。ステップS１１１ではスルー画像再生処理の中止命令を行い撮影モード処理を終了する。
【００２７】
＜静止画撮影記録処理＞
撮影モードの際にレリーズスイッチ１１のSW２がONされると静止画撮影記録処理サブルーチンが開始される。静止画撮影処理の流れについて図６を基に説明する。
【００２８】
静止画撮影記録処理が開始されると、ステップS３０１で、照明装置が発光するよう設定されているか否かの判定を行う。照明装置が発光するよう設定されている場合はステップS３０２へ移り、照明装置が発光するよう設定されていない場合はステップS３０６へ移る。ステップS３０２では、スルー画像再生処理でRAM３４に記憶されている表示用画像データがRAM３４の第１判定用画像領域に記憶される。ここで、第１判定用画像領域に記憶された表示用画像データは、上述の照明装置の発光なしで撮像した画像データにあたる。次にステップS３０３では、スルー画像再生処理でのステップS２０２での撮像部３１による撮像の露光中に所定の発光量で照明装置１７に発光させる（プリ発光処理）。次にステップS３０４では、ステップS３０３で発光した際に撮像され作成されたRAM３４に記憶されている表示用画像データを読み出し、該画像データを基に測光処理を行い被写体輝度を算出する。次にステップS３０５で第１判定用画像領域に記憶されている画像より被写体輝度を算出し、該輝度値とステップS３０４で算出された輝度値およびステップS３０３での照明装置の発光量、スルー画像用シャッター速度、撮像とから静止画撮像時に適正露出となるよう照明装置１７に発光させる本発光量を決定する。
ステップS３０２〜S３０５では、静止画撮像時に照明装置により発光されるの本発光量を算出している。これにより被写体からの照明光の反射具合を考慮し、適正露出となるよう本発光量を調整できる。
【００２９】
次にステップS３０６でスルー画像再生処理の中止命令を出し、ステップS３０７へ移る。ステップS３０７では、照明装置が発光するよう設定されているか否かの判定を行う。照明装置が発光するよう設定されている場合はステップS３１０へ移り、照明装置が発光するよう設定されていない場合はステップS３０８へ移る。ステップS３０８では、撮影モード処理のステップS１０５で算出された撮影処理条件に基づき撮像部３１により撮像が行われ、ステップS３０９で、撮像部３１より出力された画像信号を画像処理部３２で処理し記録用画像データを作成し、該記録用画像データを外部メモリ３７に記憶した後ステップS３１７へ移る（照明装置１７を発光せずに静止画撮像を行う）。
【００３０】
ステップS３１０では、撮影モード処理のステップS１０５で算出された撮影処理条件に基づき撮像部３１により撮像が行われると共に該撮像の露光中にステップS３０５で算出された本発光量で照明装置１７に発光させる（照明装置１７を発光して静止画撮像を行う）。ステップS３１１では、撮像部３１より出力された画像信号を画像処理部３２で処理し表示用画像データと記録用画像データを作成する。ステップS３１２では、ステップS３１１で作成された表示用画像データ（ここで、該表示用画像データは、上述の照明装置の発光して撮像した画像データにあたる）とRAM３４に記憶の第１判定用画像データの被写体像領域の各領域（９６の領域）の輝度値をそれぞれ算出し、表示用画像データと第１判定用画像データとのそれぞれ同一の領域においてその輝度差が所定値以上の領域を異常反射領域として設定する。ステップS３１３では、ステップS３１２で設定した異常反射領域が所定値以上あるか否かを判定する。異常反射領域が所定値異常ある場合はステップS３１４へ移り、異常反射領域が所定値以上ない場合はステップS３１６へ移る。ステップS３１４では、異常反射領域があることを示す異常反射警告表示を再生用画像データに重畳し背面モニタ１６に表示させる。本発明においては異常反射領域が所定数異常ある場合について、所望の画像が得られないと、所定の領域数はユーザーにより変更可能としても良い。警告表示が表示された画像が背面モニタ１６に表示されている様子について図３ｂに示す。図示のごとく、背面モニタ１６には、撮像画像に重畳して警告文５１および画像の記録するか否かを選択するための選択メニュー５２が表示される。さらに、ステップSステップS３１２で設定した異常反射領域を異常反射表示５３により表示する。警告表示が表示されるとまず、選択メニュー５２には「記録する」又は「記録しない」の２つのメニュー項目が表示され、「記録する」に選択枠１００表示が表示される。ユーザーは、十字キー１５を上又は下に押圧操作することにより選択枠１００を上記２つのメニュー項目に移動させることができる。決定釦１５aが押圧操作されると、選択枠１００が表示されているメニュー項目（「記録する」又は「記録しない」）が決定できる。
ステップS３１５では「記録する」に選択枠１００がある状態で決定釦１５aが操作されるとステップS３１６へ移り、「記録しない」に選択枠１００がある状態で決定釦１５aが操作されるとステップS３１７へ移る。ステップS３１６では記録用画像データが外部メモリ３７に記録されステップS３１７へ移る。ステップS３１７ではAFロックを解除して撮影処理を終了する。
【００３１】
上述によりユーザーに撮像画像に異常反射領域があることを報知することができる。従来は、撮影し画像をメモリに記憶した後に画像を再生し、所望の画像が得られていない場合は該画像を削除し再び撮像しなければならず効率的に撮像できない。しかし本発明を適用したデジタルカメラ１では上述のごとく異常反射領域がある場合は記録用画像データを外部メモリ３７に記録する前に警告することにより、記録をせずに撮影をやり直すことができるため、効率的に所望の画像を撮影することができる。
【００３２】
＜プリ発光の変形例＞
上述では、SW２がONされて静止画像の撮像が終了した後に異常反射領域があることを警告したが、SW１がONされた後に異常反射領域があることを警告するとしても良い。
【００３３】
以下上述のデジタルカメラ１において、SW１がONされた後に異常反射領域があることを警告する変形例について説明する。本変形例におけるデジタルカメラ１では、半押スイッチSW１がONされ撮影準備処理が行われるとともに、照明装置１７を発光させて異常反射領域があることを警告する。
【００３４】
本変形例におけるデジタルカメラ１の撮像モードでの処理について図７を用いて説明する。なお、変形例の撮影モードでの処理は上述の撮影モードでの処理とほぼ同様なため、同一の処理については同一の符号を付し説明を略す。
【００３５】
撮影モード処理が開始されると、スルー画像表示が開始され（ステップS１０１）、SW１がONされると（S１０２で肯定）撮影準備処理が行われる（ステップS１０３〜１０６）。ステップS１０６のAF処理が終了すると、ステップｓ４０１に移る。ステップS４０１では、照明装置が発光されるよう設定されたか否かが判定される。照明装置が発光されるよう設定されている場合はステップS４０２へ移り、照明装置が発光されるよう設定されていない場合はステップS１０７へ移る。ステップS４０２では、スルー画像再生処理でRAM３４に記憶されている表示用画像データがRAM３４の第１判定用画像領域に記憶される。ここで、第１判定用画像領域に記憶された表示用画像データは、上述の照明装置の発光なしで撮像した画像データにあたる。
【００３６】
ステップS４０３では、スルー画像再生処理でのステップS２０２での撮像部３１による撮像の露光中に所定の発光量で照明装置１７に発光させる（プリ発光処理）。次にステップS４０４では、ステップS４０３で発光した際に撮像されて作成されRAM３４に記憶されている表示用画像データを読み出し、該表示用画像データ（ここで、該表示用画像データは、上述の照明装置の発光を伴い撮像した画像データにあたる）の被写体像領域の各領域（９６の領域）の輝度値を算出する。ステップS４０５では、RAM３４に記憶の第１判定用画像データの被写体像領域の各領域（９６の領域）の輝度値を算出し、表示用画像データと第１判定用画像データとのそれぞれ同一の領域において、その輝度差が所定値以上のとなる領域を異常反射領域として設定する。ステップS４０６では、ステップS４０５で設定した異常反射領域が所定値以上あるか否かを判定する。異常反射領域が所定数以上ある場合はステップS４０７へ移り、異常反射領域が所定数以上ない場合はステップS１０７へ移る。ステップS４０７では、異常反射領域があることを示す異常反射警告表示をスーパーインポーズ情報として記憶させ、スルー画像データに重畳し背面モニタ１６に表示させる。警告表示が表示された画像が背面モニタ１６に表示されている様子について図３ｃに示す。図示のごとく、背面モニタ１６には、撮像画像に重畳して警告文５１およびステップS４０５で設定した異常反射領域を異常反射表示５３により表示する。ステップS４０７が終了するとステップS１０７へ移る。
【００３７】
ステップS１０８でSW２がONされていると判定されるとステップS４０８の撮影記録処理へ移る。ステップS４０８では、ステップS１０５で決定された撮像処理条件で静止画像が撮像され作成された記録用画像データが外部メモリ３７に記憶される。撮影記録処理が終了するとステップS１１０へ移る。
【００３８】
上記変形例によれば、静止画像の撮像記録処理（ステップS４０８）を行うまえに、異常反射領域をユーザーに警告できる。そのためユーザーはレリーズ釦１１を半押操作することにより、撮影準備処理を開始すると共に撮影画像に異常反射領域ができるか否かを認識することができ、ユーザーは必要に応じて、静止画像の撮像前に再度半押スイッチをOFFし撮影構図を変更して撮影が可能となる。
なお、上述の変形例では、異常反射領域を検出するために、ステップS４０３で照明装置１７を発光したが、被写体を照明するものであったらこれに限るものではない。例えば照明装置１７の変わりにAF補助光装置１８を被写体に向けて発光するとしても良い。
以上本発明を適用した１実施の形態としてデジタルカメラ１を例示し説明したが、本発明はこれに限るものではない。
【００３９】
例えば、被写体像領域の複数の領域での輝度値を撮像部３１により取得した画像信号ではなく、撮像部３１とは別に配置された複数の領域に分割して測光可能な測光用のセンサーを用いても良い。
また、上述では、警告表示を背面モニタ１６に表示したが、警告表示を背面モニタ１６とは別の表示部材に表示しても良い。例えばLED等の表示部材を設け、該LDEを点等することによりユーザーに異常反射領域があることを報知しても良い。
なお、上述では、デジタルカメラ１に照明装置１７が配設されているが、照明装置とデジタルカメラ通信可能であれば、照明装置はデジタルカメラとは別体であっても良い。
本発明をレンズ着脱式のデジタルカメラや、一眼レフカメラ、デジタルビデオカメラ等の撮像装置に適用しても良い。
【図面の簡単な説明】
【００４０】
【図１】デジタルカメラ１の外観図
【図２】デジタルカメラ１のブロック図
【図３】背面モニタ１６の表示例
【図４】撮影モード処理のフロー図
【図５】スルー画像再生処理のフロー図
【図６】撮影記録処理のフロー図
【図７】変形例の撮影モード処理のフロー図
【符号の説明】
【００４１】
１  デジタルカメラ
１０  カメラボディ
１１  レリーズ釦
１５  十字キー
１５a  決定釦
１６  背面モニタ
１７  照明装置
１８  補助光装置
２０  レンズ鏡筒
２１  撮像光学系
５０  領域線
５１  警告文
５２  選択メニュー
５３  警告表示
【図１】
2007274439.tif 000003
【図２】
2007274439.tif 000004
【図３】
2007274439.tif 000005
【図４】
2007274439.tif 000006
【図５】
2007274439.tif 000007
【図６】
2007274439.tif 000008
【図７】
2007274439.tif 000009